(57)【要約】【課題】クランプにより挟持される部分から剥がれる無電解めっき金属を低減することで、良好な品質の被めっき物を供給できるめっき治具を提供することを課題とする。【解決手段】外周部に枠状の捨て代領域を有する四角平板状の被めっき物を、被めっき物の両主面側から捨て代領域を挟持するクランプ２により保持した状態で無電解めっき液中に浸漬するめっき治具Ａであって、クランプ２は、主面の少なくとも一方に点接触または線接触で当接することを特徴とする。【選択図】図１
2017095760.tif 000002
【特許請求の範囲】
【請求項１】
外周部に枠状の捨て代領域を有する四角平板状の被めっき物を、該被めっき物の両主面側から前記捨て代領域を挟持するクランプにより保持した状態で無電解めっき液中に浸漬するめっき治具であって、前記クランプは、前記主面の少なくとも一方に点接触または線接触で当接することを特徴とするめっき治具。
【発明の詳細な説明】
【技術分野】
【０００１】
本発明は、無電解めっき治具に関するものである。
【背景技術】
【０００２】
めっき技術は、例えば配線基板の配線形成用途として広く用いられている。配線基板の絶縁層表面に無電解めっき金属層を下地金属として析出させておき、その上に電解めっき金属層を析出させることで配線が形成される。
【０００３】
ここで、図２に従来のめっき治具Ｂを概略図で示す。
めっき治具Ｂは、バスケット１１と、クランプ１２とを備えている。
【０００４】
バスケット１１は、図２に示すように、例えばステンレスから成るフレーム１３が直方形状に組まれている。上辺のフレーム１３に沿う位置には、互いに対向する一対の搬送用フレーム１３ａが配設されている。また、上辺および下辺のフレーム１３の間には、互いに対向する上側のクランプ用フレーム１３ｂおよび下側のクランプ用フレーム１３ｃが配設されている。さらに、互いに対向する下辺のフレーム１３同士の間には、クランプ用フレーム１３ｂと平行な方向に、バスケット１１に装着される被めっき物を受ける受け用フレーム１３ｄが架設されている。
【０００５】
クランプ１２は、上側および下側のクランプ用フレーム１３ｂ、１３ｃに取り付けられている。互いに対応するクランプ１２同士は、対向する位置関係に配置されるとともに、下側のクランプ１２は、上側のクランプ１２の直下に配置されている。
クランプ１２は、四角平板状の被めっき物の両主面を面接触により挟持するための平面部を有している。この平面部により被めっき物を挟持したままの状態で、バスケット１１を無電解めっき液槽（不図示）に浸漬することで被めっき物の表面に無電解めっき金属層が析出される。
【０００６】
ところが、クランプ１２の平面部で挟持された部分には、平面部と被めっき物との隙間から滲入しためっき液により、所々に不均一な厚みの無電解めっき金属が付着してしまう。このような無電解めっき金属は、被めっき物との密着強度が弱いために剥がれてしまい、例えば製造途中の配線基板表面に付着して、配線間の短絡や断線不良を引き起こす場合がある。このため、良好な品質の被めっき物を供給することができないという問題がある。
【先行技術文献】
【特許文献】
【０００７】
【特許文献１】特開２００７−１３１９３１号公報
【発明の概要】
【発明が解決しようとする課題】
【０００８】
本発明の課題は、クランプにより挟持される部分から剥がれる無電解めっき金属を低減することで、良好な品質の被めっき物を供給できるめっき治具を提供することにある。
【課題を解決するための手段】
【０００９】
本発明のめっき治具は、外周部に枠状の捨て代領域を有する四角平板状の被めっき物を、被めっき物の両主面側から捨て代領域を挟持するクランプにより保持した状態で無電解めっき液中に浸漬するめっき治具であって、クランプは、主面の少なくとも一方に点接触または線接触で当接することを特徴とするものである。
【発明の効果】
【００１０】
本発明のめっき治具によれば、被めっき物の両主面側からクランプで挟持するときに、主面の少なくとも一方を点接触または線接触で当接する。このため、無電解めっき液槽に浸漬するときに、クランプに遮蔽されて不均一な厚みで被めっき物に被着する無電解めっき金属を低減することができる。その結果、被めっき物との密着強度が弱い無電解めっき金属が剥がれてしまうことを抑制して、良好な品質の被めっき物を供給できるめっき治具を提供することができる。
【図面の簡単な説明】
【００１１】
【図１】図１は、本発明のめっき治具の一例を示す概略斜視図である。
【図２】図２は、従来のめっき治具の一例を示す概略斜視図である。
【発明を実施するための形態】
【００１２】
次に、本発明のめっき治具の実施形態の一例を図１を基にして詳細に説明する。
本例のめっき治具Ａは、バスケット１と、クランプ２とを備えている。
【００１３】
バスケット１は、図１に示すように、例えばめっき液による腐食に強いステンレスから成るフレーム３が直方形状に組まれた骨格を有している。上辺のフレーム３に沿う位置には、互いに対向する一対の搬送用フレーム３ａが配設されている。また、上辺および下辺のフレーム３の間には、互いに対向する上側のクランプ用フレーム３ｂおよび下側のクランプ用フレーム３ｃが配設されている。さらに、互いに対向する下辺のフレーム３同士の間には、クランプ用フレーム３ａ、３ｂと平行な方向に、バスケット１に装着される被めっき物を受ける受け用フレーム３ｄが架設されている。
【００１４】
クランプ２は、上側および下側のクランプ用フレーム３ｂ、３ｃに取り付けられている。互いに対応するクランプ２同士は、対向する位置関係に配置されるとともに、下側のクランプ２は、上側のクランプ２の直下に配置されている。これら４個のクランプ２によって、一つの被めっき物が挟持される。
なお、本例においては説明の便宜上、４個のクランプ２のみを設けた例を示しているが、実際には数十のクランプ２が配設されている。
クランプ２は、四角平板状の被めっき物の両主面を線接触により挟持するための円柱部２ａを有している。この円柱部２ａにより被めっき物を挟持したままの状態で、バスケット１を無電解めっき液槽（不図示）に浸漬することで被めっき物の表面に無電解めっき金属層が析出される。
なお、円柱部２ａの上方には、被めっき物をクランプ２に装着しやすいように円錐部２ｂが設けられている。
【００１５】
ところで、本発明のめっき治具Ａによれば、被めっき物の両主面側からクランプ２で挟持するときに、クランプ２と被めっき物の主面とは線接触で当接する。このため、無電解めっき液槽に浸漬するときに、クランプ２に遮蔽されて不均一な厚みで被めっき物に付着する無電解めっき金属を低減することができる。その結果、被めっき物との密着強度が弱い無電解めっき金属が剥がれてしまうことを抑制して、良好な品質の被めっき物を供給できるめっき治具Ａを提供することができる。
【００１６】
なお、本発明は、上述の実施形態の一例に限定されるものではなく、本発明の要旨を逸脱しない範囲であれば種々の変更は可能である。例えば、上述の実施の形態の一例では、被めっき物を２つの円柱部２ａで挟持する一例を示したが、一方のみが円柱部２ａで他方が平面部から成るクランプ２であっても構わない。さらに、平板状のクランプの挟持面に小さな球面状の突起を多数設け、この突起と被めっき物の主面とが点接触で当接するようにしてもかまわない。
【符号の説明】
【００１７】
２    クランプ
Ａ    めっき治具
【図１】
2017095760.tif 000003
【図２】
2017095760.tif 000004